(57)【要約】【課題】高齢者などの体が不自由な人にとって、便器への接近、用便時、便座からの立ち上がり、便器からの離反等、一連の動作を安定して行うことができるトイレ用手すりを提供することを目的とする。【解決手段】トイレ空間の便器側方の壁面に前後方向に床面に対し略水平方向に設置されるトイレ用手すりにおいて、便器側方に設置される第１手すり部と、この第１手すり部前方に段差部分を介して連なると共に該第１手すり部より高い位置に設置される第２手すり部とを備えていることを特徴とする。【選択図】  図１
2004298451.tif 000002
【特許請求の範囲】
【請求項１】
トイレ空間の便器側方の壁面に前後方向に床面に対し略水平方向に設置されるトイレ用手すりにおいて、便器側方に設置される第１手すり部と、この第１手すり部前方に段差部分を介して連なると共に該第１手すり部より高い位置に設置される第２手すり部とを備えていることを特徴とするトイレ用手すり。
【請求項２】
前記段差部分が、棒状の第３手すり部であることを特徴とする請求項１記載のトイレ用手すり。
【請求項３】
前記第３手すり部が、前方に向かって斜め上に傾斜していることを特徴とする請求項２記載のトイレ用手すり。
【請求項４】
前記第２手すり部と前記第３手すり部との接続部分に、上方に向かう棒状の第４手すり部を設けたことを特徴とする請求項２乃至３いずれか記載のトイレ用手すり。
【発明の詳細な説明】
【０００１】
【発明の属する技術分野】
本発明は、トイレ空間の便器側方壁面に前後方向に床面に対し略水平方向に設置されるトイレ用手すりに関するものである。
【０００２】
【従来の技術】
従来のトイレ空間において、便器側方の壁面には前後方向に床面と平行に一直線状の手すりが設置されているもの（例えば特許文献１参照）、あるいはＬ字型の手すりが設置されているもの（例えば特許文献２参照）が有る。
【０００３】
【特許文献１】
特開平１０−１８３９２８号公報
【特許文献２】
特開２０００−１９２３６１号公報
【０００４】
【解決すべき課題】
トイレを利用する際の人の動作は、まず便器にアプローチし、体の向きを変えて便器上面にセットされた便座に座り、用済み後は便座から立ち上がり、便器から離れる。
【０００５】
従って、高齢者などの体が不自由な人にとっては、従来の横一直線状のトイレ用手すりにおいては、手すりを伝え歩きに適した高さに設置した場合は、便器への接近、離反に際してはこの手すりを使って伝え歩きできるものの、用便中は手すり高さが高すぎて体重を支えにくく、更に立ち上がるときに手すりを握っても手すりと腕との角度が浅くて手が滑り、立ち上がり動作が困難である。逆に、用便中に体を支える動作に適した高さに手すりを設置した場合は、伝え歩きが行いにくく、立ち上がり動作も困難である。
【０００６】
また、Ｌ字型の手すりは、水平部分で体を支えながら用便でき、用済み後、手すりの垂直部分を握って体を起こし立ち上がることができるが、便器への接近、離反に際しては伝え歩きすることができない。
【０００７】
本発明は上記の問題点に鑑みてなされたものであり、高齢者などの体が不自由な人にとって、便器への接近、用便時、便座からの立ち上がり、便器からの離反等、一連の動作を安定して行うことができるトイレ用手すりを提供することを目的とする。
【０００８】
【課題を解決するための手段】
上記課題を解決するために本発明のトイレ用手すりは、トイレ空間の便器側方の壁面に前後方向に床面に対し略水平方向に設置されるトイレ用手すりにおいて、便器側方に設置される第１手すり部と、この第１手すり部前方に段差部分を介して連なると共に該第１手すり部より高い位置に設置される第２手すり部とを備えている。
【０００９】
このように構成することで、伝え歩きに適したな高さに第２手すり部を設置し、用便中に体を支える高さに第１手すり部を設置し得えて、便器への接近、離反に際しては第２手すり部を用い、用便中は第１手すり部を用い、便座からの立ち上がりに際しては、第１手すり部と第２手すり部との段差部分を用いることができ、一連の動作が行える。
【００１０】
立ち上がり動作の際は体重に近い負荷を手で負担しなければならないので、段差部分を棒状の第３手すり部とすることが好ましく、このようにすれば手で握り易く力が入るので、好ましい。
【００１１】
第３手すり部を、前方に向かって斜め上に傾斜させることが好ましく、このようにすれば、立ち上がり動作の際に掌や指の握りが手すりとフィットして最も力を入れ易くなり、立ち上がり動作がスムーズに行える。
【００１２】
第２手すり部と第３手すり部との接続部分に、上方に向かう棒状の第４手すり部を設ければ、利用者が便器への接近から着座へ移行する際に、この第４手すりを握ることで体の向きを反転することが容易になって好ましい。
【００１３】
【発明の実施の形態】
以下、発明の実施の形態を添付図面に基づいて具体的に説明する。
図１、図２、図３、図４、図５、図６はそれぞれ本発明の一実施例であって、図１はトイレ用手すりが設置されたトイレ空間の全体を示す外観斜視図、図２、図３、図４、図５、図６はトイレ用手すりの外観斜視図である。
【００１４】
まず、図１の第１実施例について説明すると、トイレ空間Ｔ内にはその床面１に便器２が設置され、この便器２上面には便座３が載置され、便器２側方の壁面４にはトイレ用手すり５が取り付けられている。トイレ用手すり５は便器２の側方に床面１から約６５０ｍｍの高さに設置され便器２先端部近傍まで伸びた棚状の第１手すり部６と、この第１手すり部前方に段差部分Ｄを介して連なり床面１から約８００ｍｍの高さに設置された棚状の第２手すり部７とを備え、段差部分Ｄは、前方に向かって斜め上に傾斜している棒状の第３手すり部８となっている。
【００１５】
更に、トイレ用手すり５は、第２手すり部７と第３手すり部８との接続部分に、上方に向かう棒状の第４手すり部９を備えている。
【００１６】
而して、高齢者などの体が不自由な人が用便するに際しては、第２手すり部７を利用して伝え歩きし、便器２に近づき、第４手すり部９を握って体の向きを反転し便座３に着座する。用便中は第１手すり部６端面部分を握るか、手や腕を第１手すり部６上に載置して体を支え、用便後、第３手すり部８を握って立ち上がり、その後、第２手すり部７を利用して伝え歩きし、便器２から離反する。
【００１７】
この実施例において、第１手すり部６を床面１から約６５０ｍｍの高さに設置したのは便座３に着座した時に体を支えるのに適した高さであり、第２手すり部７を床面１から約８００ｍｍの高さに設置したのは起立歩行に適した高さであるからである。勿論、この寸法は一般的な数値であり、手すりを利用する人に応じてこの寸法を変えてもよい。
【００１８】
又、第１手すり部６や第２手すり部７を棚形状したのは、利用者がリウマチなどで握力がない場合にも手や腕を棚形状の手すり上面に置いて体を支え易くなるとともに、面接触となるため手すりにかかる荷重が分散され、痛みが軽減される。
尚、握力がある場合は、棚状の端面部分を握りながら伝え歩きできる。
【００１９】
更に、第３手すり部８を棒状にして前方に向かって斜め上に傾斜させているので、立ち上がり動作の際に掌や指の握りが棒部分とフィットして最も力を入れ易くなり、立ち上がり動作がスムーズに行える。
【００２０】
図２は本発明の第２実施例を示しており、握力がある人の場合は起立歩行時には棚形状よりも棒状手すりの方が使いやすい場合があるので第２手すり部７を棒状の部材で形成した例である。尚、第１手すり部６は第１実施例と同様に棚状で第１手すり部６の前方下面に紙巻器１０を取り付けている。このようにすることでトイレ用手すり５を壁面４に取り付けることで、着座した状態で手を伸ばした使い易い位置に、紙巻器１０をセットできる。
【００２１】
図３は本発明の第３実施例を示しており、第１手すり部６後方に、紙巻器１０の隣に更にトイレットペーパーなどの小物入れ１１を取り付けた例であり、このようにすることでトイレ空間Ｔの収納性が向上する。
【００２２】
図４は本発明の第４実施例を示しており、第２手すり部７を棚状にしてその一部に手洗い器１２および手洗い器用水栓１３をセットした例である。給水管１４は床面１か、或いは壁面４側から取り出し、手洗い器用水栓１３と接続する。手洗い器１２の排水口に接続した排水管１５も同様に床面１か、或いは壁面３側に接続することになる。
【００２３】
このようにすることで、トイレ空間Ｔ内に手洗い器１２をすっきりセット出来るうえ、便器２から離反する際に第２手すり部７を利用して伝え歩きし手洗い器１２に近づいて手を洗うことが出来る。
【００２４】
なお、本発明の実施例は上述の内容に留まらず、種々の変形が可能である。
例えば、図５に示すように第４手すり部９は無くてもよく、図６に示すように第３手すり部８と第４手すり部９を一直線状に垂直方向に設けてもよい。図４に示す例では、第４手すり部を別にセットしてもよい。又、手洗い器１２をセットした第２手すり部７にタオル掛け等を設けてもよい。
【００２５】
更に各手すり部の材質は、棚状の場合は木板、合成樹脂板、マーブライト等を用いればよく、棒状の場合は木材、金属管、合成樹脂管や棒などを用いればよい。
棒形状も断面円形意外に、第１手すり部や第２手すり部は幅広の楕円形状にしても良い。
【００２６】
また、手すりは壁面が便器より離れている場合は、床面から立ちあげた支え管状部材に第１手すり部、第２手すり部、第３手すり部などを取り付けても良い。
【００２７】
【発明の効果】
本発明は、トイレ空間の便器側方の壁面に前後方向に床面に対し略水平方向に設置されるトイレ用手すりにおいて、便器側方に設置される第１手すり部と、この第１手すり部前方に段差部分を介して連なると共に該第１手すり部より高い位置に設置される第２手すり部とを備えているので、伝え歩きに適したな高さに第２手すり部を設置し、用便中に体を支える高さに第１手すり部を設置し得えて、便器への接近、離反に際しては第２手すり部を用い、用便中は第１手すり部を用い、便座からの立ち上がりに際しては、第１手すり部と第２手すり部との段差部分を用いることができ、一連の動作が容易に行うことが出来る。
【図面の簡単な説明】
【図１】本発明の一実施例であって、トイレ用手すりが設置されたトイレ空間の全体を示す外観斜視図である。
【図２】同、トイレ用手すりの外観斜視図である。
【図３】同、トイレ用手すりの外観斜視図である。
【図４】同、トイレ用手すりの外観斜視図である。
【図５】同、トイレ用手すりの外観斜視図である。
【図６】同、トイレ用手すりの外観斜視図である。
【符号の説明】
Ｔ：トイレ空間
Ｄ：段差部分
１：床面
２：便器
３：便座
４：壁面
５：トイレ用手すり
６：第１手すり部
７：第２手すり部
８：第３手すり部
９：第４手すり部
１０：紙巻器
１１：小物入れ
１２：洗面器
１３：洗面器用水栓
１４：給水管
１５：排水管
【図１】
2004298451.tif 000003
【図２】
2004298451.tif 000004
【図３】
2004298451.tif 000005
【図４】
2004298451.tif 000006
【図５】
2004298451.tif 000007
【図６】
2004298451.tif 000008